(57)【要約】【課題】猪などの有締類の足首を捕捉するわなにおいて体重があり大きくなった成獣のみを選んで足首を確実に捕捉可能とする。【解決手段】固定杭９に溶接したばね８の基端部にワイヤー１４で枠７を設け、そのばね８の先端部に一端を設けたワイヤー１６ａに付けたより戻し１５を介してワイヤー１６を連結し、固定杭９に取付けてあるリングに通してワイヤーでわさを作り、筒体１の側面に開口部を設け、筒体１に取付け紐１３で取付けた踏み板２に設けた凸部にピン穴４を開け、ばね８の先端部に設けたワッシャー１０とピン穴４にピン１１を通して前記の枠７にばね８を仕掛けて、体重が大きい成獣の猪が蓋１２を踏めば支持線１３が曲がり、筒体１の中に蓋が落ち込んで踏み板２を踏み、踏み板２がピン１１から抜けてワッシャー１０が枠７から外れてばね８が作動しワイヤーを引き締めるのでわさが猪の足首を捕捉する。【選択図】図１
0003118910.tif 000002
【実用新案登録請求の範囲】
【請求項１】
固定杭９に設けたばね８の基端部にワイヤー１４で枠７を設け、そのばね８の先端部に一端を設けたワイヤー１６ａに付けたより戻し１５を介してワイヤー１６を連結し、固定杭９に取付けてあるリング１７に通してワイヤー１６でわさ１９を作り、筒体１に開口部５を設け、筒体１に取付け紐３で取付けた踏み板２に設けた凸部にピン穴４を開け、ばね８の先端部に設けたワッシャー１０とピン穴４にピン１１を通して前記の枠７にばね８を仕掛けて、動物が踏み板２を踏めば踏み板がピン穴４に入れたピン１１から抜けてばね８が作動し、わさ１９が動物の足首を捕捉することができるようにした有締類の足首捕捉器。
【請求項２】
請求項１に記載の筒体１にはその直径よりやや小さい径の蓋１２を備えるものであることを特徴とする有締類の足首捕捉器。
【請求項３】
請求項２に記載の蓋１２には支持線１３を設けてあることを特徴とする有締類の足首捕捉器。
【請求項４】
請求項１又は２に記載の筒体には開口部５を備え、その開口部の両内側上縁部に踏み板２が上方へ外れるのを防止するストッパー６を備えることを特徴とする有締類の足首捕捉器。
【請求項５】
請求項１に記載のばねには固定杭９を溶接し、ばね８の基端部に枠７をワイヤー１４で取付け、そのばね８の先端部に設けたワッシャー１０を備えることを特徴とする有締類の足首捕捉器。
【請求項６】
請求項１に記載の筒体１に取付け紐３で取付けた踏み板２に凸部を設け、凸部にピン穴４を開けてあることを特徴とする有締類の足首捕捉器。
【請求項７】
請求項１に記載のワッシャーは、リング状のワッシャーがばねの先端部にワイヤーで取付けてあることを特徴とする有締類の足首捕捉器。
【考案の詳細な説明】
【技術分野】
【０００１】
本考案は、有締類の成獣である主として猪の足首を捕捉することが確実なわなに関するものである。
【背景技術】
【０００２】
猪のような大型有締類の捕獲器の中で、動物の脚を捕捉して捕獲するものは、強力なばねに仕掛けたワイヤーでわさを作り、ばねを作動させる仕掛けを作り、わさに動物が足を入れてそこを踏むとばねが作動して脚をわさで締めて捕捉する構造である。
実用の動物捕獲器は、折の中に動物を誘い込んで扉が閉まり捕獲するものがある。例えば、特許文献２特開２００５−０９５０２８号公報に記載の装置があるが、捕獲装置が大きくなり軽便さを欠くため、田畑や山野を餌場として活動する猪のような動物を捕獲するものとしては、ばねに仕掛けたワイヤーでわさを作りわさで脚を締めて捕捉する軽便なものが使用される。例えば、特許文献１特開２００３−１３４９８５号公報、特許文献４実用新案登録第３０４６８６８号公報、特許文献５実用新案登録第３０６８５１１号公報などにその記載がある。又捕獲網を動物に被せて捕獲する装置としては、特許文献３特開２００３−２１９７８４号公報に記載がある。
【０００３】
しかし、ワイヤーでわさを作り、そのわさで脚を締めるばねを作動させた場合には、体重が小さい幼い動物でも踏み板に足を乗せるとばねが作動して幼獣が捕獲されることがあり、又強力なばねの弾発力で脚の上部を吊り上げるためわさで動物の脚を大きく損傷させるという欠点があった。このような理由により、動物資源の保護という観点から幼獣捕獲の問題が提起されて動物捕捉器の改良をすることが期待されるようになっている。
【０００４】
猪のように大型の害獣を捕獲する用途において、この欠点は資源保護に関して大きな障害である。具体的には、捕獲する必要がない幼獣をも捕獲したり、捕獲した動物の脚が損傷したりするため、捕獲した幼獣をしばらく飼育してやらなければ野生に還すことができないなどの問題があった。
【０００５】
この改善策として、柵により捕獲する方法や捕獲網により捕獲する方法がある。
【特許文献１】特開２００３−１３４９８５号公報
【特許文献２】特開２００５−０９５０２８号公報
【特許文献３】特開２００３−２１９７８４号公報
【特許文献４】実用新案登録第３０４６８６８号公報
【特許文献５】実用新案登録第３０６８５１１号公報
【考案の開示】
【考案が解決しようとする課題】
【０００６】
解決しようとする問題点は、成獣となった猪などの有締類の足首を捕捉するわなにおいて体重があり大きくなった成獣のみを選んで足首を確実に捕捉できない点である。
【課題を解決するための手段】
【０００７】
本考案は、体重が大きい成獣の足首を常に捕捉可能とするため、地面に穴を掘って埋めた筒体に取り付けた踏み板を覆う蓋の構造を幼獣を支えることができるようにして、体重が大きい成獣が蓋を踏んだ場合にだけ動物の脚が蓋を踏み抜き、更に踏み板を踏み込んでピンが外れてばねが作動して、筒体の表面に近い位置に設けたリングにワイヤーを通してあるわさで足首を締めるようにすることを最も主要な特徴とする。
【考案の効果】
【０００８】
本考案の足首捕捉器は、地面に打ち込む固定杭にばねを設け、ばねの其端部にワイヤーで枠を設け、そのばねの先端部に一端を設けたワイヤーを締結し、そのワイヤーに付けたより戻しを介してワイヤーを連結し、このワイヤーをリングに通して足首を捕捉するわさを作る。前記リングに設けたワイヤーでリングを固定杭に取付けてある。リングに通したようにワイヤーでわさを作り、開口部を設けた筒体を地面に穴を掘って埋める。その筒体に取付け紐で踏み板を取付け、その踏み板に設けた凸部にピン穴を開けてある。このピン穴にはピンを差し込み、ばねの先端部に設けたワッシャーとピン穴とを貫いてピンを通して前記の枠にばねを仕掛ける。筒体の蓋には支持線が四方に設けられており、この支持線は筒体の上に蓋を載せたとき蓋を支持して、大きな成獣の体重がその上に載ると支持線が曲がって蓋が筒体の中に落ち込むようになっているが、体重が軽い幼獣ではその蓋に設けた支持線で支えて落ち込まないようになっている。その蓋の上には落ち葉などで怪しまれないように覆われる。成獣の猪は蓋の上に足を載せてその上に成獣の体重がかかるとその重みで蓋が筒体の中に落ち込み、踏み板を踏み、踏み板のピン穴に入れたピンが抜けて枠から外れるとばねの先端部のワッシャーも外れてばねが作動し、リングに通したワイヤーのわさで猪の足首を捕捉する。
【考案を実施するための最良の形態】
【０００９】
考案を実施するための最良の形態を実施例に示した符号を引用して説明する。固定枠９は地中に打ち込まれてばね８の振れを防止するようにしたものである。固定杭９に溶接したばね８の基端部にワイヤー１４で枠７を設け、そのばね８の先端部に一端を設けたワイヤー１６ａに付けたより戻し１５を介してワイヤー１６に連結し、ワイヤー１６をリング１７に通してリングをワイヤー１８で固定杭９に取付けて、ワイヤー１６でわさ１９を作る。筒体１は地中に穴を掘って埋めるようにしたものである。筒体１に開口部５を設け、踏み板２に凸部を設けて筒体１に取付け紐３で取付け、凸部にピン穴４を開けてある。ばね８の先端部に設けたワッシャー１０とピン穴４にピン１１を通して前記の枠７にばね８を仕掛けて、体重が大きな成獣の猪の足が蓋１２の上に乗って体重がかかり、蓋１２に設けた支持線１３が曲がり、蓋が筒体の中に落ちて踏み板２を踏めばピン１１が踏み板のピン穴４から抜けてワッシャー１０が枠７から外れてばね８が作動してワイヤー１６，１６ａを引き締め、わさ１９で猪の足首を捕捉することができる。
【実施例１】
【００１０】
図１〜７は、本考案装置の１実施例の斜視図であって、１    筒体、２は    踏み板、３は    取り付け紐、４は    ピン穴、５は    筒体の側面に設けた開口部、６は    ストッパー、７は    枠、８は    ばね、９は    固定杭、１０は    リング状のワッシャー、１１は    ピン、１２は    蓋、１３は    支持線、１４は    ワイヤー、１５は    より戻し、１６〜１６ａは    わさを作るためのワイヤー、１７は  リング、１８は    リング止めワイヤー、１９は    わさである。
【００１１】
固定杭９に溶接してばね８を設け、そのばねの基端部にワイヤー１４で枠７を取付け、そのばね８の先端部に一端を取付けたワイヤー１６ａに付けたより戻し１５を介してワイヤー１６を連結し、固定杭９にリング止めワイヤー１８で取付けてあるリング１７に通して、ワイヤー１６でわさ１９を作る。筒体１に開口部５を設け、筒体１に取付け紐３で踏み板２を取付け、踏み板２には凸部を設け、凸部にピン穴４を開けてある。ばね８を撓ませてその先端部に取付けたワッシャー１０と踏み板のピン穴４にピン１１を通して前記の枠７にばね８を仕掛ける。幼獣に比べて比較的体重が大きな成獣が蓋１２の上に足を乗せて体重がその上にかかれば蓋１２は支持線１３が曲がって踏み板２を踏み、ワッシャー１０がピン１１から抜けて枠７から外れてばね８が作動し、わさ１９が動物の足首を捕捉することができるようにした足首捕捉器である。
【００１２】
地中に穴を掘ってその穴に埋められる筒体１にはその直径よりやや小さい径の蓋１２を備えるものである。この蓋には支持線１３を四方に設けて、蓋が有する支持線により軽い体重の幼獣を支えて、蓋が落ちずに、踏み板２が踏まれず、従ってばね８も作動しないようにしている。比較的体重が大きな成獣のみが蓋１２の上に足を乗せて体重をかけると支持線１３が曲がり、筒体１の中に蓋１２が落ち込んで、踏み板２が踏まれてばねの先端部のリング状のワッシャー１０がピンから外れてばね８が作動する。ワッシャー１０は、リング状のものである。
【００１３】
筒体１の蓋１２の四方に有する支持線の材料は銅線を被覆している電線が適している。支持線１３が被覆銅線であれば、幼獣に蓋を踏まれても容易に支持線が曲がらず、蓋は成獣に踏まれれば体重が重いので支持線が曲がって、筒体１の中に蓋１２が落ち込んで踏み板２を踏むのでピン１１が外れてばね８が作動する。このようにして本考案の足首捕捉器は、成獣と幼獣とを選別して成獣のみを捕獲することができる機能がある。
【００１４】
筒体１はその側面に開口部５を備え、その開口部の両側内側上縁部にストッパー６を備える。ストッパー６は、筒体１の上縁部に設けてあって、筒体１に紐で取付けた踏み板２が筒体１の上方に外れないようにしたものである。
【００１５】
ワイヤー１６により作られているわさ１９で足首を締めるばね８は、固定杭９に溶接して設けて、固定枠９は地中に打ち込まれて、ばねが振れないようにするためのものである。そのばね８の基端部にワイヤー１４で枠７を設け、この枠にばね８の先端部に取付けたワッシャー１０をピン１１で止め、このピン１１を踏み板のピン穴４に通して、踏み板２を踏んでピン１１が抜けるとワッシャー１０がピンから外れてばね８が作動することになる。
このようにしてばね８が作動してワイヤー１６．１６ａを引くとわさ１９で足首を締めても、固定枠９に設けたリング即ちリング止めワイヤー１８で取付けてあるリング１７にワイヤー１６を通してあるのでわさ１９は脚の上部まで達することがなく脚全体を損傷させることがない。従って、本考案は前００１３項に記載の如く成獣を選別して捕獲する機能があるが、万が一この機能が作用せずに足首捕捉器に捕獲対象にならない幼獣がかかっても、脚の損傷が少なく、飼育後に野生への返還が容易である。
【００１６】
このような野生動物の成獣を選別してその足首を補足する形態を採用したので、幼獣は蓋を踏んでもばねが作動せず、又成獣の体重により蓋１２が踏まれればばね８が作動して、わさで足首を締めるのみで、脚を大きく損傷させることなく、鹿、猪のように大型の有蹄類の足首のみを捕捉できる。
【００１７】
図１〜７の実施例は、筒体１に被せる蓋１２によって捕獲する成獣、捕獲しない幼獣の選別が出来て、筒体１に取付けた踏み板２によってピン１１が確実にピン穴から抜けて、ばね８の作動でわさ１９が動物の足首を締めるので動物の脚をばねが吊り上げることなく動物の損傷が少ないことが特徴となるので、この足首の捕捉器は、動物の資源保護、動物に対する愛護の精神にも合致する機能を備えている。
【産業上の利用可能性】
【００１８】
大型有害動物の猪、鹿など有締類を捕獲する用途に適用できる。
【図面の簡単な説明】
【００１９】
【図１】有締類の足首捕捉器の実施方法を示した説明図である。（実施例１）
【図２】有締類の足首捕捉器の踏み板の実施方法を示した説明図である。（実施例１）
【図３】有締類の足首捕捉器の筒体の上に蓋を合わせた実施方法を示した説明図である。（実施例１）
【図４】有締類の足首捕捉器のばねの先端部に設けたワッシャーをピンで枠に取付ける仕掛けの実施方法を示した説明図である。（実施例１）
【図５】有締類の足首捕捉器の作動前のばねと踏み板をピンで枠に止める実施方法を示した説明図である。（実施例１）
【図６】有締類の足首捕捉器の作動前のわさを仕掛ける実施方法を示した説明図である。（実施例１）
【図７】有締類の足首捕捉器の踏み板が猪に踏まれてワッシャーがピンから外ればねが作動ししてわさが締まった状態における実施方法を示した説明図である。（実施例１）
【符号の説明】
【００２０】
１    筒体
２    踏み板
３    取り付け紐
４    ピン穴
５    開口部
６    ストッパー
７    枠
８    ばね
９    固定杭（ばね振れ止め）
１０    ワッシャー
１１    ピン
１２    蓋
１３    支持線
１４    ワイヤー
１５    より戻し
１６，１６ａ    ワイヤー
１７    リング
１８    リング止めワイヤー
１９    わさ
【図１】
0003118910.tif 000003
【図２】
0003118910.tif 000004
【図３】
0003118910.tif 000005
【図４】
0003118910.tif 000006
【図５】
0003118910.tif 000007
【図６】
0003118910.tif 000008
【図７】
0003118910.tif 000009
【手続補正書】
【提出日】平成17年11月29日(2005.11.29)
【手続補正１】
【補正対象書類名】実用新案登録請求の範囲
【補正対象項目名】全文
【補正方法】変更
【補正の内容】
【実用新案登録請求の範囲】
【請求項１】
固定杭９に設けたばね８の基端部にワイヤー１４で枠７を設け、そのばね８の先端部に一端を設けたワイヤー１６ａに付けたより戻し１５を介してワイヤー１６を連結し、固定杭９に取付けてあるリング１７に通してワイヤー１６でわさ１９を作り、筒体１に開口部５を設け、筒体１に取付け紐３で取付けた踏み板２に設けた凸部にピン穴４を開け、ばね８の先端部に設けたワッシャー１０とピン穴４にピン１１を通して前記の枠７にばね８を仕掛けて、動物が踏み板２を踏めば踏み板がピン穴４に入れたピン１１から抜けてばね８が作動し、わさ１９が動物の足首を捕捉することができるようにした有蹄類の足首捕捉器。
【請求項２】
請求項１に記載の筒体１にはその直径よりやや小さい径の蓋１２を備えるものであることを特徴とする有蹄類の足首捕捉器。
【請求項３】
請求項２に記載の蓋１２には支持線１３を設けてあることを特徴とする有蹄類の足首捕捉器。
【請求項４】
請求項１又は２に記載の筒体には開口部５を備え、その開口部の両内側上縁部に踏み板２が上方へ外れるのを防止するストッパー６を備えることを特徴とする有蹄類の足首捕捉器。
【請求項５】
請求項１に記載のばねには固定杭９を溶接し、ばね８の基端部に枠７をワイヤー１４で取付け、そのばね８の先端部に設けたワッシャー１０を備えることを特徴とする有蹄類の足首捕捉器。
【請求項６】
請求項１に記載の筒体１に取付け紐３で取付けた踏み板２に凸部を設け、凸部にピン穴４を開けてあることを特徴とする有蹄類の足首捕捉器。
【請求項７】
請求項１に記載のワッシャーは、リング状のワッシャーがばねの先端部にワイヤーで取付けてあることを特徴とする有蹄類の足首捕捉器。
【手続補正３】
【補正対象書類名】明細書
【補正対象項目名】０００１
【補正方法】変更
【補正の内容】
【０００１】
本考案は、有蹄類の成獣である主として猪の足首を捕捉することが確実なわなに関するものである。
【手続補正４】
【補正対象書類名】明細書
【補正対象項目名】０００２
【補正方法】変更
【補正の内容】
【０００２】
猪のような大型有蹄類の捕獲器の中で、動物の脚を捕捉して捕獲するものは、強力なばねに仕掛けたワイヤーでわさを作り、ばねを作動させる仕掛けを作り、わさに動物が足を入れてそこを踏むとばねが作動して脚をわさで締めて捕捉する構造である。
実用の動物捕獲器は、折の中に動物を誘い込んで扉が閉まり捕獲するものがある。例えば、特許文献２特開２００５−０９５０２８号公報に記載の装置があるが、捕獲装置が大きくなり軽便さを欠くため、田畑や山野を餌場として活動する猪のような動物を捕獲するものとしては、ばねに仕掛けたワイヤーでわさを作りわさで脚を締めて捕捉する軽便なものが使用される。例えば、特許文献１特開２００３−１３４９８５号公報、特許文献４実用新案登録第３０４６８６８号公報、特許文献５実用新案登録第３０６８５１１号公報などにその記載がある。又捕獲網を動物に被せて捕獲する装置としては、特許文献３特開２００３−２１９７８４号公報に記載がある。
【手続補正５】
【補正対象書類名】明細書
【補正対象項目名】０００６
【補正方法】変更
【補正の内容】
【０００６】
解決しようとする問題点は、成獣となった猪などの有蹄類の足首を捕捉するわなにおいて体重があり大きくなった成獣のみを選んで足首を確実に捕捉できない点である。
【手続補正６】
【補正対象書類名】明細書
【補正対象項目名】００１８
【補正方法】変更
【補正の内容】
【００１８】
大型有害動物の猪、鹿など有蹄類を捕獲する用途に適用できる。
【手続補正７】
【補正対象書類名】明細書
【補正対象項目名】００１９
【補正方法】変更
【補正の内容】
【００１９】
【図１】有蹄類の足首捕捉器の実施方法を示した説明図である。（実施例１）
【図２】有蹄類の足首捕捉器の踏み板の実施方法を示した説明図である。（実施例１）
【図３】有蹄類の足首捕捉器の筒体の上に蓋を合わせた実施方法を示した説明図である。（実施例１）
【図４】有蹄類の足首捕捉器のばねの先端部に設けたワッシャーをピンで枠に取付ける仕掛けの実施方法を示した説明図である。（実施例１）
【図５】有蹄類の足首捕捉器の作動前のばねと踏み板をピンで枠に止める実施方法を示した説明図である。（実施例１）
【図６】有蹄類の足首捕捉器の作動前のわさを仕掛ける実施方法を示した説明図である。（実施例１）
【図７】有蹄類の足首捕捉器の踏み板が猪に踏まれてワッシャーがピンから外ればねが作動してわさが締まった状態における実施方法を示した説明図である。（実施例１）